(57)【要約】【課題】入力された検索用の文字と、検索対象に予め登録された属性値との関連度を示す情報を表示する情報検索プログラム及び情報検索装置を提供する。【解決手段】情報検索装置１は、検索対象情報１１１を検索するための文字の入力を受け付ける検索文受付手段１００と、検索文受付手段１００が受け付けた文字に基づいて検索対象情報１１１に関連付けられた属性値としての属性情報１１２を検索するための検索式を生成する検索式生成手段１０２と、検索式生成手段１０２が生成した検索式に基づいて属性情報１１２を検索する属性情報検索手段１０３と、属性情報検索手段１０３が検索した結果として、検索式に合致する属性情報１１２の内容と、検索式と当該合致した属性情報１１２の内容との関連度とを一覧にして出力する出力手段とを有する。【選択図】図１
2014096083.tif 000002
【特許請求の範囲】
【請求項１】
コンピュータを、
検索の対象となる検索対象情報を検索するための文字の入力を受け付ける受付手段と、
前記受付手段が受け付けた文字に基づいて前記検索対象情報に関連付けられた属性値を検索する属性情報検索手段と、
前記属性情報検索手段が検索した結果として、検索に合致する前記属性値の内容と、前記受付手段が受け付けた文字と当該合致した属性値の内容との関連度とを一覧にして出力する出力手段として機能させるための情報検索プログラム。
【請求項２】
前記属性値は、前記内容として複数のカテゴリと当該複数のカテゴリのそれぞれに関連付けられたキーワードとを有し、
前記出力手段は、前記関連度として前記カテゴリ別に各キーワードに合致した件数を一覧にして出力する請求項１に記載の情報検索プログラム。
【請求項３】
前記属性値は、前記カテゴリとして前記検索対象情報そのものを含み、当該検索対象情報をカテゴリとするキーワードとして当該検索対象情報の内容を含む請求項２に記載の情報検索プログラム。
【請求項４】
前記受付手段は前記文字として自然文を受け付け、
前記生成手段は、当該自然文の文脈に応じて前記属性値のカテゴリを変更する請求項２又は３に記載の情報検索プログラム。
【請求項５】
前記受付手段が受け付けた文字に基づいて前記検索対象情報を検索する検索対象情報検索手段としてさらに機能させる請求項１−４のいずれかに記載の情報検索プログラム。
【請求項６】
検索の対象となる検索対象情報を検索するための文字の入力を受け付ける受付手段と、
前記受付手段が受け付けた文字に基づいて前記検索対象情報に関連付けられた属性値を検索するための検索式を生成する生成手段と、
前記生成手段が生成した前記検索式に基づいて前記属性値を検索する属性情報検索手段と、
前記属性情報検索手段が検索した結果として、前記検索式に合致する前記属性値の内容と、前記検索式と当該合致した属性値の内容との関連度とを一覧にして出力する出力手段とを有する情報検索装置。
【発明の詳細な説明】
【技術分野】
【０００１】
本発明は、情報検索プログラム及び情報検索装置に関する。
【背景技術】
【０００２】
従来の技術として、入力された検索キーワードの同義語のうち、より良い検索結果が得られるキーワードを提示する情報検索装置が提案されている（例えば、特許文献１参照）。
【０００３】
特許文献１に開示された情報検索装置は、入力された検索文から検索キーワードを特定し、当該検索キーワードと同義語のそれぞれについて検索対象の情報における出現頻度に基づくスコア及びそれらが含まれる検索対象の件数からなる評価データを算出し、検索キーワードと同義語とを評価データとともに利用者に提示するものであって、提示された検索キーワード及び同義語から利用者によって選択されたキーワードを用いて、検索対象の情報に対して検索を実行する。
【先行技術文献】
【特許文献】
【０００４】
【特許文献１】特開２００４−２８０６６１
【発明の概要】
【発明が解決しようとする課題】
【０００５】
本発明の目的は、入力された検索用の文字と、検索対象に予め登録された属性値との関連度を示す情報を表示する情報検索プログラム及び情報検索装置を提供することにある 。
【課題を解決するための手段】
【０００６】
本発明の一態様は、上記目的を達成するため、以下の情報検索プログラム及び情報検索装置を提供する。
【０００７】
［１］コンピュータを、
検索の対象となる検索対象情報を検索するための文字の入力を受け付ける受付手段と、
前記受付手段が受け付けた文字に基づいて前記検索対象情報に関連付けられた属性値を検索する属性情報検索手段 と、
前記属性情報検索手段が検索した結果として、検索に合致する前記属性値の内容と、前記受付手段が受け付けた文字と当該合致した属性値の内容との関連度とを一覧にして出力する出力手段として機能させるための情報検索プログラム。
【０００８】
［２］前記属性値は、前記内容として複数のカテゴリと当該複数のカテゴリのそれぞれに関連付けられたキーワードとを有し、
前記出力手段は、前記関連度として前記カテゴリ別に各キーワードに合致した件数を一覧にして出力する前記［１］に記載の情報検索プログラム。
【０００９】
［３］前記属性値は、前記カテゴリとして前記検索対象情報そのものを含み、当該検索対象情報をカテゴリとするキーワードとして当該検索対象情報の内容を含む前記［２］に記載の情報検索プログラム。
【００１０】
［４］前記受付手段は前記文字として自然文を受け付け、
前記生成手段は、当該自然文の文脈に応じて前記属性値のカテゴリを変更する前記［２］又は［３］に記載の情報検索プログラム。
【００１１】
［５］前記受付手段が受け付けた文字に基づいて前記検索対象情報を検索する検索対象情報検索手段としてさらに機能させる前記［１］−［４］のいずれかに記載の情報検索プログラム。
【００１２】
［６］検索の対象となる検索対象情報を検索するための文字の入力を受け付ける受付手段と、
前記受付手段が受け付けた文字に基づいて前記検索対象情報に関連付けられた属性値を検索する属性情報検索手段と、
前記属性情報検索手段が検索した結果として、検索に合致する前記属性値の内容と、前記受付手段が受け付けた文字と当該合致した属性値の内容との関連度とを一覧にして出力する出力手段とを有する情報検索装置。
【発明の効果】
【００１３】
請求項１又は６に係る発明によれば、入力された検索用の文字と、検索対象に予め登録された属性値との関連度を示す情報を表示することができる。
【００１４】
請求項２に係る発明によれば、関連度としてカテゴリとキーワードが文字に合致した件数を表示することができる。
【００１５】
請求項３に係る発明によれば、検索対象について全文検索して関連度を示す情報を表示することができる。
【００１６】
請求項４に係る発明によれば、入力された自然文と、検索対象に予め登録された属性値との関連度を示す情報を表示することができる。
【００１７】
請求項５に係る発明によれば、入力された検索用の文字と、検索対象に予め登録された属性値との関連度を示す情報を表示した後に、検索対象情報を検索することができる。
【図面の簡単な説明】
【００１８】
【図１】図１は、情報検索装置の構成の一例を示すブロック図である。
【図２】図２は、属性情報の構成の一例を示す概略図である。
【図３】図３は、表示部に表示される検索画面の構成の一例を示す概略図である。
【図４】図４は、検索文入力後に表示部に表示される検索画面の構成の一例を示す概略図である。
【図５】図５は、検索文の追加入力後に表示部に表示される検索画面の構成の一例を示す概略図である。
【図６】図６は、情報検索装置の動作の一例を説明するためのフローチャートである。
【発明を実施するための形態】
【００１９】
［実施の形態］
（情報検索装置の構成）
図１は、情報検索装置１の構成の一例を示すブロック図である。
【００２０】
この情報検索装置１は、ＣＰＵ等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記録媒体から構成され情報を記憶する記憶装置の一例としての記憶部１１と、操作入力用のキーボード及びタッチパネル等の操作部１２と、液晶ディスプレイ等の表示部１３とを備える。
【００２１】
制御部１０は、後述する情報検索プログラム１１０を実行することで、検索文入力受付手段１００、検索文解析手段１０１、検索式生成手段１０２、属性情報検索手段１０３、一覧情報出力手段１０４、検索対象情報検索手段１０５及び検索結果出力手段１０６等として機能する。
【００２２】
検索文入力受付手段１００は、操作部１２を介して入力される検索文を受け付ける。検索文は単語でも構わないが、本実施の形態では自然文が入力された場合について説明する。
【００２３】
検索文解析手段１０１、検索文入力受付手段１００が受け付けた検索文を形態素解析し、キーワード、日付指定表現、論理演算表現等を抽出する。
【００２４】
検索式生成手段１０２、検索文解析手段１０１の解析結果に基づいて検索式を生成する。検索式の生成方法については後述する。
【００２５】
属性情報検索手段１０３、検索式生成手段１０２が生成した検索式で検索対象情報１１１の属性値としての属性情報１１２からカテゴリ及びキーワードを検索する。
【００２６】
一覧情報出力手段１０４、属性情報検索手段１０３の検索結果をカテゴリ及びキーワード並びに検索された件数等が記載された一覧情報として表示部１３に出力する。
【００２７】
検索対象情報検索手段１０５は、検索式生成手段１０２が生成した検索式で検索対象情報１１１を検索する。
【００２８】
検索結果出力手段１０６は、検索対象情報検索手段１０５の検索結果として検索対象情報１１１から検索された文書等を表示部１３に出力する。
【００２９】
記憶部１１は、情報検索プログラム１１０、検索対象情報１１１及び属性情報１１２等を格納する。
【００３０】
情報検索プログラム１１０は、制御部１０を上記した各手段１００〜１０６として動作させるプログラムである。
【００３１】
検索対象情報１１１は、検索対象情報検索手段１０５の検索の対象となる情報であり、例えば、テキスト情報、画像情報、音声情報、動画情報等の文書情報であって情報の種類は特に限定されない。
【００３２】
属性情報１１２は、検索対象情報１１１に関連付けられた属性値であり、複数のカテゴリに対して単数又は複数のキーワードが予め登録される。
【００３３】
なお、情報検索装置１は、例えば、パーソナルコンピュータであり、その他に携帯電話機、タブレット端末等を用いることもできる。
【００３４】
また、操作部１２及び表示部１３を省略した制御部１０と記憶部１１をサーバ装置として構成し、外部の端末の要求に応じて動作するようにしてもよい。
【００３５】
また、複数のサーバ装置を用いて、制御部１０と記憶部１１を構成し、外部の端末の要求に応じて動作するようにしてもよい 。
【００３６】
図２は、属性情報１１２の構成の一例を示す概略図である。
【００３７】
属性情報１１２ａは、複数のカテゴリ１１２０を有し、各カテゴリ１１２０毎にキーワード１１２１が登録される。なお、各カテゴリ１１２０には単数又は複数のキーワード１１２１が登録される。
【００３８】
（情報検索装置の動作）
次に、本実施の形態の作用を、（１）基本動作、（２）検索準備動作、（３）検索動作に分けて説明する。
【００３９】
（１）基本動作
まず、情報検索装置１の利用者は、情報検索装置１を用いて又は外部の情報処理装置を用いて記憶部１１に複数の検索対象情報１１１を登録するとともに、各検索対象情報１１１に対して関連付けて属性情報１１２を登録する。
【００４０】
（２）検索準備動作
次に、情報検索装置１の利用者は、予め登録した検索対象情報１１１から所望の情報を検索するため操作部１２を介して情報検索装置１を操作する。
【００４１】
情報検索装置１は、利用者の操作に応じて以下に示す検索対象情報１１１を検索するための検索画面１３０ａを表示する。
【００４２】
図３は、表示部１３に表示される検索画面１３０ａの構成の一例を示す概略図である。
【００４３】
検索画面１３０ａは、検索式を入力するための検索式入力欄１３００と、検索文を入力するための検索文入力欄１３０１と、検索対象情報１１１において検索を実行するための検索ボタン１３０２と、属性情報１１２のカテゴリ名を一覧表示するカテゴリ表示領域１３０３ａ〜１３０３ｃと、検索結果としての検索対象情報１１１の属性情報１１２の一部の情報を簡易表示する検索結果表示領域１３０４ａ〜１３０４ｄとを有する。
【００４４】
利用者は、検索画面１３０ａの検索文入力欄１３０１に検索文を入力するため操作部１２を操作する。
【００４５】
図６は、情報検索装置１の動作の一例を説明するためのフローチャートである。
【００４６】
情報検索装置１の検索文入力受付手段１００は、利用者の操作に応じて検索文の入力を受け付ける（Ｓ１）。
【００４７】
図４は、検索文入力後に表示部１３に表示される検索画面１３０ｂの構成の一例を示す概略図である。
【００４８】
図４に示すように、検索文入力欄１３０１に「先月のプロジェクト」と入力されると、検索文入力受付手段１００はテキストを受け付ける。
【００４９】
次に、検索文の入力から予め定めた時間、例えば、１秒が経過した場合（Ｓ２；Ｙｅｓ）、検索文解析手段１０１は、検索文「先月のプロジェクト」を形態素解析し（Ｓ３）、カテゴリとして「プロジェクト」を抽出し（Ｓ４）、日付指定表現として「先月」を抽出する（Ｓ５）。なお、検索文解析手段１０１は、形態素解析の際に、属性情報１１２のカテゴリ及びキーワードを予め単語として抽出しておいて該当する単語がある場合に利用し、品詞を割り当てる。
【００５０】
なお、検索文入力欄１３０１にさらに検索文が入力されると、以下に示すような検索画面となる。
【００５１】
図５は、検索文の追加入力後に表示部１３に表示される検索画面１３０ｃの構成の一例を示す概略図である。
【００５２】
図５に示すように、検索文入力欄１３０１に「先月のプロジェクトＡＢＣＤに 関する会議の参加者が鈴木さん 」と入力されると、検索文入力受付手段１００はテキストを受け付ける。
【００５３】
当該検索文において、検索文解析手段１０１は、カテゴリとして「プロジェクト」、「会議」及び「参加者」、キーワードとして「ＡＢＣＤ」及び「鈴木さん」を抽出する（Ｓ４）。
【００５４】
また、検索文解析手段１０１は、論理演算表現として「の」、「に関する」及び「が」を抽出する（Ｓ５）。
【００５５】
また、検索文入力受付手段１００は、例えば、検索文が「先月のプロ」と途中まで入力された状態である場合、末尾単語の「プロ」と前方一致する候補のカテゴリ又はキーワードを推測する（Ｓ７）。ここでは、カテゴリ名に「プロジェクト」が存在するため、「プロ」から「プロジェクト」を推測する。推測された単語は、ステップＳ３〜Ｓ６によって処理されるものとする。
【００５６】
次に、検索式生成手段１０２は、上記ステップＳ４〜Ｓ７において抽出されたキーワード、カテゴリ、日付指定表現、論理演算表現を用いて検索式を生成して出力する（Ｓ８）。
【００５７】
上記の例では、今月が２０１２年１０月の場合には日付指定表現「先月」から「開始日時：［”２０１２−０９−０１Ｔ００：００：００Ｚ  ＴＯ  ”２０１２−０９−３０Ｔ２３：５９：５９Ｚ］」を、カテゴリ「プロジェクト」及びキーワード「ＤＣＰＦ」から「プロジェクト：”ＡＢＣＤ”」を、カテゴリ「参加者名」及び「鈴木さん」から「参加者名：”鈴木”」を生成し、論理演算表現として「の」、「に関する」及び「が」によってそれぞれを「ＡＮＤ」で接続して検索式とする。
【００５８】
また、論理演算表現は、「または」等から「ＯＲ」を、「ではない」等から「ＮＯＴ」を生成する。また、「佐藤さん」のように人名が入力された場合はカテゴリを「参加者」とするが、「佐藤さんが作った」のように入力された場合は「が作った」という文脈を考慮してカテゴリを「登録者」としてもよい。
【００５９】
次に、属性情報検索手段１０３は、上記検索式に基づいて各カテゴリ及び各カテゴリに属するキーワード毎に該当する検索対象情報１１１を検索し（Ｓ９）、それぞれ検索の結果該当した件数とともに図４及び図５に示す一覧情報１３０５ｂ及び１３０５ｃとして検索画面１３０ｂ及び１３０ｃに表示する（Ｓ１０）。
【００６０】
図４に示す一覧情報１３０５ｂは、カテゴリとして「開始日時」についてキーワード「２０１２−０９−１０  ＴＯ  ０４：３０：００Ｚ」において件数が「２」、キーワード「２０１２−０９−０３  ＴＯ  ０４：３０：００Ｚ」において件数が「１」、キーワード「２０１２−０９−１１  ＴＯ  ０６：３０：００Ｚ」において件数が「１」、キーワード「２０１２−０９−１９  ＴＯ  ０４：３０：００Ｚ」において件数が「１」、キーワード「２０１２−０９−２０  ＴＯ  ０１：００：００Ｚ」において件数が「１」である。
【００６１】
また、カテゴリとして「プロジェクト」についてキーワード「ＡＢＣＤ」において件数が「７」、キーワード「ＥＦ」において件数が「６」、キーワード「ＧＨＩＪ」において件数が「３」である。
【００６２】
図５に示す一覧情報１３０５ｃは、図４に示す一覧情報１３０５ｂに比べて入力文が追加されたため、カテゴリとして「開始日時」についてキーワード「２０１２−０９−１１  ＴＯ  ０６：３０：００Ｚ」において件数が「１」、キーワード「２０１２−０９−１９  ＴＯ  ０４：３０：００Ｚ」において件数が「１」、キーワード「２０１２−０９−２０  ＴＯ  ０１：００：００Ｚ」において件数が「１」、キーワード「２０１２−０９−２６  ＴＯ  ０４：３０：００Ｚ」において件数が「１」、キーワード「２０１２−０９−２６  ＴＯ  ０６：００：００Ｚ」において件数が「１」と変化している。
【００６３】
また、カテゴリとして「プロジェクト」についてキーワード「ＡＢＣＤ」において件数が「５」、キーワード「ＧＨＩＪ」において件数が「２」、キーワード「ＥＦ」において件数が「１」と変化している。
【００６４】
さらに、カテゴリとして「参加者名」が追加され、キーワード「会田Ａ夫」において件数が「５」、キーワード「池田Ｂ之」において件数が「５」、キーワード「上田Ｃ子」において件数が「４」、キーワード「遠藤Ｄ朗」において件数が「４」、キーワード「小川Ｅ絵」において件数が「３」である。
【００６５】
利用者は、一覧情報１３０５ｃに表示された属性情報を踏まえて、入力文の修正することも可能である。例えば、検索文入力欄１３０１に入力された「鈴木さん」を「池田さん」に修正したうえで、検索対象情報１１１を検索することができる。
【００６６】
なお、上記したステップＳ１−Ｓ１０は、検索文入力欄１３０１に入力されたテキストが削除、追加される等して内容が更新される度に実行される。つまり、利用者が検索文入力欄１３０１に入力したテキストを更新する度に、検索式入力欄１３００の検索式が更新され、当該検索式によって属性情報１１２を検索した検索結果によって一覧情報１３０５ｂ、１３０５ｃの内容が更新される。
【００６７】
（３）検索動作
利用者は、一覧情報１３０５ｂ及び１３０５ｃを確認しながら、必要に応じて検索文を変更して検索ボタン１３０２をクリック操作する。
【００６８】
情報検索装置１の検索対象情報検索手段１０５は最終的に入力された検索文から生成された検索式に基づいて検索対象情報１１１を検索し、検索結果出力手段１０６は検索結果を表示部１３に表示する。
【００６９】
（実施の形態の効果）
上記した実施の形態によると、検索文に含まれるカテゴリやキーワード等から属性情報を検索し、検索された件数を表示するようにしたため、入力された検索用の文字と、検索対象に予め登録された属性値との関連度を示す情報を表示することができる。
【００７０】
つまり、カテゴリ及びキーワードが多くなってしまった場合に、属性情報１１２についていわゆるファセット検索を行う代わりに、検索文を入力することで、ファセット検索をした場合に該当する検索対象情報１１１の件数をフィードバックすることができ、利用者にどのようなキーワードで検索を実行すればよいか理解させることができる。
【００７１】
［他の実施の形態］
なお、本発明は、上記実施の形態に限定されず、本発明の趣旨を逸脱しない範囲で種々な変形が可能である。例えば、日本語を対象とした情報検索について説明したが、他言語を対象とした情報検索についても本発明を適用できる。
【００７２】
上記実施の形態では制御部１０内の各手段１００−１０６の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００７３】
１     情報検索装置
１０   制御部
１１   記憶部
１２   操作部
１３   表示部
１００ 検索文入力受付手段
１０１ 検索文解析手段
１０２ 検索式生成手段
１０３ 属性情報検索手段
１０４ 一覧情報出力手段
１０５ 検索対象情報検索手段
１０６ 検索結果出力手段
１１０ 情報検索プログラム
１１１ 検索対象情報
１１２、１１２ａ     属性情報
１３０ａ、１３０ｂ、１３０ｃ       検索画面
１１２０      カテゴリ
１１２１      キーワード
１３００      検索式入力欄
１３０１      検索文入力欄
１３０２      検索ボタン
１３０３ａ-１３０３ｃ       カテゴリ表示領域
１３０４ａ-１３０４ｄ       検索結果表示領域
１３０５ａ‐１３０５ｃ      一覧情報
【図１】
2014096083.tif 000003
【図２】
2014096083.tif 000004
【図３】
2014096083.tif 000005
【図４】
2014096083.tif 000006
【図５】
2014096083.tif 000007
【図６】
2014096083.tif 000008